【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
無線電力受信装置に無線で電力を提供する電力送信部と、
無線電力送信装置に割り当てられ、前記無線電力送信装置の位置する地域の地域情報に関連する第１の識別情報を、前記無線電力受信装置と連結されたモバイル端末の位置としてアプリケーションサーバーに提供する識別情報管理部と、
前記アプリケーションサーバーから前記無線電力送信装置の位置する地域に関連する位置サービスデータを受信するサービスデータ管理部と、
前記無線電力受信装置の無線充電に対する権限を認証する充電制御部と
を含み、
前記充電制御部は、前記モバイル端末の通信サービスプロバイダ情報を確認して無線充電の可否を認証する、無線電力送信装置。
【請求項２】
前記充電制御部は、前記モバイル端末の残りの電力情報を確認して無線電力提供の有無を判断する、請求項１に記載の無線電力送信装置。
【請求項３】
無線電力受信装置に無線で電力を提供する電力送信部と、
無線電力送信装置に割り当てられ、前記無線電力送信装置の位置する地域の地域情報に関連する第１の識別情報を、前記無線電力受信装置と連結されたモバイル端末の位置としてアプリケーションサーバーに提供する識別情報管理部と、
前記アプリケーションサーバーから前記無線電力送信装置の位置する地域に関連する位置サービスデータを受信するサービスデータ管理部と、
前記無線電力受信装置の無線充電に対する権限を認証する充電制御部と
を含み、
前記充電制御部は、前記モバイル端末の残りの電力情報を確認して無線電力提供の有無を判断する、無線電力送信装置。
【請求項４】
前記識別情報管理部は、前記無線電力受信装置の無線充電に対する権限が認証されていることに応じて、前記第１の識別情報を前記無線電力受信装置に提供する、請求項１から３のいずれか１つに記載の無線電力送信装置。
【請求項５】
前記充電制御部は、前記モバイル端末の端末情報、及びユーザー情報の何れか１つ又は何れかの組み合わせをさらに用いて認証を行う、請求項１から４のいずれか１項に記載の無線電力送信装置。
【請求項６】
前記無線電力送信装置は、前記無線電力受信装置が装着されるか、前記無線電力受信装置に接続可能なモバイル端末と無線で連結可能な近距離無線通信部をさらに含み、
前記識別情報管理部は、前記近距離無線通信部を用いて前記モバイル端末に割り当てられた第２の識別情報を獲得し、前記第２の識別情報及び前記第１の識別情報をアプリケーションサーバーに提供する、請求項１から５のいずれか１項に記載の無線電力送信装置。
【請求項７】
無線電力受信装置に無線で電力を提供する無線電力送信装置と、
前記無線電力受信装置が受けた電力の提供を受けるモバイル端末と、
前記無線電力送信装置の位置を識別し、前記無線電力送信装置の識別された位置を前記モバイル端末の位置と判断して位置情報サービスデータを提供するアプリケーションサーバーと、
を含み、
前記無線電力送信装置は、
無線電力受信装置に無線で電力を提供する電力送信部と、
前記無線電力送信装置に割り当てられ、前記無線電力送信装置の位置する地域の地域情報に関連する第１の識別情報を、前記無線電力受信装置と連結されたモバイル端末の位置としてアプリケーションサーバーに提供する識別情報管理部と、
前記アプリケーションサーバーから前記無線電力送信装置の位置する地域に関連する位置サービスデータを受信するサービスデータ管理部と、
前記無線電力受信装置の無線充電に対する権限を認証する充電制御部と
を含み、
前記充電制御部は、前記モバイル端末の通信サービスプロバイダ情報を確認して無線充電の可否を認証する、位置情報サービスシステム。
【請求項８】
前記充電制御部は、前記モバイル端末の残りの電力情報を確認して無線電力提供の有無を判断する、請求項７に記載の位置情報サービスシステム。
【請求項９】
無線電力受信装置に無線で電力を提供する無線電力送信装置と、
前記無線電力受信装置が受けた電力の提供を受けるモバイル端末と、
前記無線電力送信装置の位置を識別し、前記無線電力送信装置の識別された位置を前記モバイル端末の位置と判断して位置情報サービスデータを提供するアプリケーションサーバーと、
を含み、
前記無線電力送信装置は、
無線電力受信装置に無線で電力を提供する電力送信部と、
無線電力送信装置に割り当てられ、前記無線電力送信装置の位置する地域の地域情報に関連する第１の識別情報を、前記無線電力受信装置と連結されたモバイル端末の位置としてアプリケーションサーバーに提供する識別情報管理部と、
前記アプリケーションサーバーから前記無線電力送信装置の位置する地域に関連する位置サービスデータを受信するサービスデータ管理部と、
前記無線電力受信装置の無線充電に対する権限を認証する充電制御部と
を含み、
前記充電制御部は、前記モバイル端末の残りの電力情報を確認して無線電力提供の有無を判断する、位置情報サービスシステム。
【請求項１０】
前記識別情報管理部は、前記無線電力受信装置の無線充電に対する権限が認証されていることに応じて、前記第１の識別情報を前記無線電力受信装置に提供する、請求項７から９のいずれか１つに記載の位置情報サービスシステム。
【請求項１１】
前記充電制御部は、前記モバイル端末の端末情報、及びユーザー情報の何れか１つ又は何れかの組み合わせをさらに用いて認証を行う、請求項７から１０のいずれか１項に記載の位置情報サービスシステム。
【請求項１２】
前記無線電力送信装置は、前記無線電力受信装置が装着されるか、前記無線電力受信装置に接続可能なモバイル端末と無線で連結可能な近距離無線通信部をさらに含み、
前記識別情報管理部は、前記近距離無線通信部を用いて前記モバイル端末に割り当てられた第２の識別情報を獲得し、前記第２の識別情報及び前記第１の識別情報をアプリケーションサーバーに提供する、請求項７から１１のいずれか１項に記載の位置情報サービスシステム。
【請求項１３】
前記モバイル端末は、前記無線電力受信装置が受けた電力による充電が完了すると、充電が完了したことを前記アプリケーションサーバーに知らせ、
前記アプリケーションサーバーは、前記モバイル端末への充電が完了した否かによって前記位置情報サービスデータの提供を変更又は終了する、請求項７から１２のいずれか１項に記載の位置情報サービスシステム。
【請求項１４】
無線電力受信装置に無線で電力を提供する無線電力送信装置と、
前記無線電力受信装置が受けた電力の提供を受けるモバイル端末と、
前記無線電力送信装置の位置を識別し、前記無線電力送信装置の識別された位置を前記モバイル端末の位置と判断して位置情報サービスデータを提供するアプリケーションサーバーと、
を含み、
前記無線電力送信装置は、前記無線電力送信装置の位置する地域の地域情報に関連する第１の識別情報、及び前記無線電力受信装置に割り当てられた第３の識別情報を前記アプリケーションサーバーに提供し、
前記モバイル端末は、前記モバイル端末に割り当てられた第２の識別情報、及び前記第３の識別情報を前記アプリケーションサーバーに提供し、
前記アプリケーションサーバーは、前記無線電力送信装置および前記モバイル端末からの前記第３の識別情報を用いて、前記モバイル端末に関連する前記無線電力送信装置を確認し、前記第１の識別情報を用いて前記モバイル端末の位置を決定し、前記第２の識別情報を用いて前記モバイル端末を認証する、位置情報サービスシステム。
【請求項１５】
前記無線電力受信装置は、
無線電力送信装置から提供される電力を無線で受信する電力受信部と、
前記無線電力送信装置から当該無線電力送信装置に割り当てられた第１の識別情報の提供を受け、前記第１の識別情報を前記モバイル端末に提供する識別情報伝達部と、
を含む、請求項７から１４のいずれか１項に記載の位置情報サービスシステム。
【請求項１６】
前記識別情報伝達部は、無線電力の送受信プロトコルで用いられる前記無線電力送信装置の識別子を前記第１の識別情報として用いる、請求項１５に記載の位置情報サービスシステム。
【請求項１７】
前記無線電力受信装置は近距離無線通信部をさらに含み、
前記識別情報伝達部は前記近距離無線通信部を用いて前記無線電力送信装置から前記第１の識別情報の提供を受ける、請求項１５または１６に記載の位置情報サービスシステム。
【請求項１８】
前記識別情報伝達部は、前記モバイル端末に割り当てられた第２の識別情報を獲得し、前記第２の識別情報を前記無線電力送信装置に提供する、請求項１５から１７のいずれか１項に記載の位置情報サービスシステム。
【請求項１９】
電力の提供を受けるべく無線電力受信装置と連結可能であり、前記無線電力受信装置から無線で電力の提供を受け、受けた電力を用いてモバイル端末の保存部を充電する充電部と、
無線電力送信装置に割り当てられ、前記無線電力送信装置の位置する地域の地域情報に関連する第１の識別情報を前記モバイル端末の位置として獲得し、モバイル端末に割り当てられた第２の識別情報および前記第１の識別情報をアプリケーションサーバーに提供する制御部と、
を含み、
前記制御部は、前記アプリケーションサーバーから前記モバイル端末の位置する地域に関連する位置サービスデータを受信し、前記無線電力受信装置が受けた電力による充電が完了すると、充電が完了したことを前記アプリケーションサーバーに知らせ、
前記アプリケーションサーバーは、前記モバイル端末への充電が完了した否かによって前記位置サービスデータの提供を変更又は終了する、モバイル端末。
【請求項２０】
無線電力送信装置に割り当てられた第１の識別情報と前記無線電力送信装置の位置する地域の地域情報を関連付ける位置データを保存する保存部と、
前記第１の識別情報を受信すると、前記第１の識別情報に関連する地域を前記無線電力送信装置から電力の提供を受けるモバイル端末の位置として判断する位置サービス提供部と、
を含み、
前記位置サービス提供部は、判断された前記モバイル端末の位置に関連する位置サービスデータを前記モバイル端末及び前記無線電力送信装置の一方又は両方に提供し、前記無線電力送信装置からの電力による充電が完了したことに対応して、前記モバイル端末から充電が完了したことを受け、前記モバイル端末への充電が完了した否かによって前記位置サービスデータの提供を変更又は終了する、アプリケーションサーバー。
【請求項２１】
アプリケーションサーバーであって、
無線電力送信装置に割り当てられた第１の識別情報と前記無線電力送信装置の位置する地域の地域情報を関連付ける位置データを保存する保存部と、
前記第１の識別情報を受信すると、前記第１の識別情報に関連する地域を前記無線電力送信装置から電力の提供を受けるモバイル端末の位置として判断する位置サービス提供部と、
を含み、
前記アプリケーションサーバーは、
前記無線電力送信装置から、前記無線電力送信装置の位置する地域の地域情報に関連する前記第１の識別情報、及び無線電力受信装置に割り当てられた第３の識別情報を受信し、
前記モバイル端末から、前記モバイル端末に割り当てられた第２の識別情報、及び前記第３の識別情報を受信し、
前記無線電力送信装置および前記モバイル端末からの前記第３の識別情報を用いて、前記モバイル端末に関連する前記無線電力送信装置を確認し、前記第１の識別情報を用いて前記モバイル端末の位置を決定し、前記第２の識別情報を用いて前記モバイル端末を認証する、アプリケーションサーバー。
【請求項２２】
モバイル端末で実行可能なアプリケーションであって、
無線で電力を提供する無線電力送信装置に割り当てられ、前記無線電力送信装置の位置する地域の地域情報に関連する第１の識別情報を前記モバイル端末の位置として獲得する機能、前記モバイル端末に割り当てられた第２の識別情報を管理する機能、及び前記第１の識別情報及び前記第２の識別情報をアプリケーションサーバーに提供する機能、前記アプリケーションサーバーから前記モバイル端末の位置する地域に関連する位置サービスデータを受信して表示する機能、及び前記無線電力送信装置からの電力による充電が完了すると、充電が完了したことを前記アプリケーションサーバーに知らせる機能を実行させ、
前記アプリケーションサーバーは、前記モバイル端末への充電が完了した否かによって前記位置サービスデータの提供を変更又は終了する、アプリケーション。
【手続補正２】
【補正対象書類名】明細書
【補正対象項目名】発明の名称
【補正方法】変更
【補正の内容】
【発明の名称】無線電力送信装置、モバイル端末、アプリケーションサーバー、それを用いる位置情報サービスシステム及びアプリケーション
【手続補正３】
【補正対象書類名】明細書
【補正対象項目名】０２０６
【補正方法】変更
【補正の内容】
【０２０６】
以上、本発明の実施形態について詳細に説明したが、本発明の権利範囲はこれに限定されず、特許請求の範囲に記載された本発明の技術的思想から外れない範囲内で多様な修正及び変形が可能であるということは、当技術分野の通常の知識を有する者には明らかである。
［項目１］
無線電力受信装置に無線で電力を提供する電力送信部と、
無線電力送信装置に割り当てられた第１の識別情報を他の機器に提供する識別情報管理部と、
を含む、無線電力送信装置。
［項目２］
上記第１の識別情報は、上記無線電力送信装置の位置する地域の地域情報に関連する、項目１に記載の無線電力送信装置。
［項目３］
上記無線電力送信装置は、上記無線電力受信装置の無線充電に対する権限を認証する充電制御部を含む、項目１または２に記載の無線電力送信装置。
［項目４］
上記識別情報管理部は、上記無線電力受信装置の無線充電に対する権限が認証されていることに応じて、上記第１の識別情報を上記無線電力受信装置に提供する、項目３に記載の無線電力送信装置。
［項目５］
上記充電制御部は、上記無線電力受信装置と連結されたモバイル端末の通信サービスプロバイダ情報、端末情報、ユーザー情報及び残りの電力情報の何れか１つ又は何れかの組み合わせを用いて認証を行う、項目３または４に記載の無線電力送信装置。
［項目６］
上記充電制御部は、上記第１の識別情報の提供を受けたアプリケーションサーバーから提供された認証情報を用いて上記電力受信装置に対する無線充電の権限又は提供時間を決定する、項目３から５のいずれか１項に記載の無線電力送信装置。
［項目７］
上記無線電力送信装置は、
アプリケーションサーバーと連結可能な通信部と、
上記アプリケーションサーバーから上記無線電力送信装置の位置する地域に関連する位置サービスデータを受信するサービスデータ管理部と、
をさらに含む、項目１から６のいずれか１項に記載の無線電力送信装置。
［項目８］
上記無線電力送信装置は、上記無線電力受信装置が装着されるか、上記無線電力受信装置に接続可能なモバイル端末と無線で連結可能な近距離無線通信部をさらに含み、
上記識別情報管理部は、上記近距離無線通信部を用いて上記モバイル端末に割り当てられた第２の識別情報を獲得し、上記第２の識別情報及び上記第１の識別情報をアプリケーションサーバーに提供する、項目１から７のいずれか１項に記載の無線電力送信装置。
［項目９］
モバイル端末と連結可能な無線電力受信装置であって、
無線電力送信装置から提供される電力を無線で受信する電力受信部と、
上記無線電力送信装置から当該無線電力送信装置に割り当てられた第１の識別情報の提供を受け、上記第１の識別情報を上記モバイル端末に提供する識別情報伝達部と、
を含む、無線電力受信装置。
［項目１０］
上記識別情報伝達部は、上記無線電力の送受信プロトコルで用いられる上記無線電力送信装置の識別子を上記第１の識別情報として用いる、項目９に記載の無線電力受信装置。
［項目１１］
上記無線電力受信装置は近距離無線通信部をさらに含み、
上記識別情報伝達部は上記近距離無線通信部を用いて上記無線電力送信装置から上記第１の識別情報の提供を受ける、項目９または１０に記載の無線電力受信装置。
［項目１２］
上記識別情報伝達部は、上記モバイル端末に割り当てられた第２の識別情報を獲得し、上記第２の識別情報を上記無線電力送信装置に提供する、項目９から１１のいずれか１項に記載の無線電力受信装置。
［項目１３］
電力の提供を受けるべく無線電力受信装置と連結可能であり、上記無線電力受信装置から無線で電力の提供を受け、受けた電力を用いてモバイル端末の保存部を充電する充電部と、
無線電力送信装置に割り当てられた第１の識別情報を獲得し、モバイル端末に割り当てられた第２の識別情報又は上記第１の識別情報をアプリケーションサーバーに提供する制御部と、
を含む、モバイル端末。
［項目１４］
上記第１の識別情報は、上記無線電力送信装置の位置する地域の地域情報に関連する、項目１３に記載のモバイル端末。
［項目１５］
上記制御部は、上記アプリケーションサーバーから上記モバイル端末の位置する地域に関連する位置サービスデータを受信する、項目１３または１４に記載のモバイル端末。
［項目１６］
電力の提供を受けるべく無線電力受信装置と連結可能であり、上記無線電力受信装置から無線で電力の提供を受け、受けた電力を用いてモバイル端末の保存部を充電する充電部と、
モバイル端末に割り当てられた第１の識別情報を無線電力送信装置に提供し、上記無線電力送信装置から上記モバイル端末の位置する地域に関連する位置サービスデータを受信する制御部と、
を含む、モバイル端末。
［項目１７］
無線電力送信装置に割り当てられた第１の識別情報と上記無線電力送信装置の位置する地域の地域情報を関連付ける位置データを保存する保存部と、
上記位置データを用いて上記無線電力送信装置から電力の提供を受けるモバイル端末の位置を判断する位置サービス提供部と、
を含む、アプリケーションサーバー。
［項目１８］
上記位置サービス提供部は、上記第１の識別情報と上記モバイル端末に割り当てられた第２の識別情報を用い、上記無線電力送信装置の位置する地域を上記モバイル端末の位置と判断する、項目１７に記載のアプリケーションサーバー。
［項目１９］
上記位置サービス提供部は、判断された上記モバイル端末の位置に関連する位置サービスデータを上記モバイル端末及び上記無線電力送信装置の一方又は両方に提供する、項目１７または１８に記載のアプリケーションサーバー。
［項目２０］
モバイル端末で実行可能なアプリケーションであって、
無線で電力を提供する無線電力送信装置に割り当てられた第１の識別情報を獲得する機能、上記モバイル端末に割り当てられた第２の識別情報を管理する機能、及び上記第１の識別情報及び上記第２の識別情報の一方又は両方を他の機器に提供する機能を実行させる、アプリケーション。
［項目２１］
上記アプリケーションは、上記モバイル端末の位置に関連する位置サービスデータを受信して表示する機能をさらに実行させる、項目２０に記載のアプリケーション。
［項目２２］
無線電力受信装置に無線で電力を提供する無線電力送信装置と、
上記無線電力受信装置が受けた電力の提供を受けるモバイル端末と、
上記無線電力送信装置の位置を識別し、上記無線電力送信装置の識別された位置を上記モバイル端末の位置と判断して位置情報サービスデータを提供するアプリケーションサーバーと、
を含む、位置情報サービスシステム。